(57)【要約】【課題】シール性を確保しつつ、取り付け作業を簡便にする。【解決手段】パネル計器１の取り付けの際にケーシング２と前面カバー３との間に介装されると、突条５ｂがパネル４の取付用開口部４ａの周縁に凹凸が生じていてもその形状に応じて弾性変形することにより密着性を確保してシール性を向上させ、また内向きの突片５ｃが図２の上部側に拡大して示すように、前面カバー３の上部後縁側の開口が大きく、この間に突片５ｃが内側に入り込むことにより、この部位における密着性とシール性を確保している。【選択図】図２
2009236217.tif 000002
【特許請求の範囲】
【請求項１】
前面周縁に一体化されたフランジを有し、所定のパネルに形成された開口部に挿入されて取り付けられるケーシングと、該ケーシングの前面開口に嵌め付けられる前面カバーとを備えるパネル計器をシールするシール部材であって、
前記フランジに嵌合される断面凹状をなし、前記前面カバーを嵌め付ける際に端面がパネルの開口部周縁に当接するとともに、先端面が前面カバーの後部周縁に当接する矩形枠状であることを特徴とするシール部材。
【請求項２】
前記シール部材の後端面には、断面半円弧状の突条を形成したことを特徴とする請求項１記載のシール部材。
【請求項３】
前記シール部材の先端面には枠内側に向けて傾斜する突片を形成したことを特徴とする請求項１又は２記載のシール部材。
【発明の詳細な説明】
【技術分野】
【０００１】
本発明は、制御盤などのパネルに取り付けられ、温度などのプロセス量の制御を行うパネル計器におけるパネルとケーシングとの間及び前面カバーとケーシング間のシールを行えるようにしたシール部材に関する。
【背景技術】
【０００２】
従来より、シーケンサや温度調節計などのパネル計器は、例えば温度、圧力、流量などの所定のパラメータを設定する操作部及び計測結果や機器の状態などを表示するための表示部をその前面カバーに備え、制御盤などのパネルに取付けられて使用される。この種のパネル計器においては、機器のケーシング内部に収納された回路基板などの内器の部品交換や、仕様変更に応じたＣＰＵの書換えなどの作業を簡単に行う必要上、前面カバーごと簡単にパネル及びケーシング前面から引出して、それらメンテナンス作業に供することが必要である反面、パネル取付状態においては、ケーシングのパネルに対する防水・防塵性、及びケーシングに対する前面カバーの防水・防塵性を確保する必要がある。。
【０００３】
このような課題を達成するため、下記特許文献１には、ケーシングのフランジとパネル間に第１のパッキンを介在するとともに、ケーシングの開口縁と前面カバーとの間に第２のパッキンを介在したパネル計器が開示されている。
【０００４】
また、下記特許文献２には、ケーシングと前面カバーに共通するパッキンにより防水機能を達成する用にした計器ケースの防水構造が開示されている。
【特許文献１】特開平９−２２９７２３号公報
【特許文献２】特開平１１−１６０１１５号公報
【発明の開示】
【発明が解決しようとする課題】
【０００５】
しかしながら、特許文献１の構造では、パネルとケーシングとの間、前面カバーとケーシングとの間にそれぞれ１つずつパッキンを介在させる必要であるため、部品数が多くなり、コスト増の原因となる。これに対し、特許文献２の構造では、パッキンが１つで済むが、パッキンの構造上、前面カバーに装着した後にケーシングに嵌め付けなければならず、前面カバーに複雑な成形を必要とし、且つ複雑な取付構造となりパネル計器の取り付け作業が煩雑であった。
【０００６】
そこで本発明は以上の課題を解決するものであって、防水・防塵性を確保しつつ、容易に取り付け可能なシール部材を提供するものである。
【課題を解決するための手段】
【０００７】
前記目的を達成するため、本発明のシール部材は、前面周縁に一体化されたフランジを有し、所定のパネルに形成された開口部に挿入されて取り付けられるケーシングと、該ケーシングの前面開口に嵌め付けられる前面カバーとを備えるパネル計器をシールするシール部材であって、
前記フランジに嵌合される断面凹状をなし、前記前面カバーを嵌め付ける際に端面がパネルの開口部周縁に当接するとともに、先端面が前面カバーの後部周縁に当接する矩形枠状であることを特徴としている。
【０００８】
請求項２のシール部材は、請求項１記載のシール部材において、前記シール部材の後端面には、断面半円弧状の突条を形成したことを特徴としている。
【０００９】
請求項３のシール部材は、請求項１又は２記載のシール部材において、前記シール部材の先端面には枠内側に向けて傾斜する突片を形成したことを特徴としている。
【発明の効果】
【００１０】
本発明のシール部材によれば、シール部材をケーシングのフランジに嵌め付けるだけで、その後端がパネルとケーシング間のシールを行うとともに、先端部がケーシングと前面カバー間のシールを行うため、シールの共用化を図るとともに、構造が簡単で複雑な取付構造も不要となる。
【００１１】
また、パネルの取付用開口部周縁に多少の凹凸があっても、ケーシングの嵌め付け時に、突条がその凹凸形状に応じて弾性変形してその凹凸形状に沿って密着するため、パネルとケーシング間のシールが確実となる。
【００１２】
さらに、突片がケーシングと前部カバーとの隙間に入り込んで、弾性変形しつつ両者の隙間を密封するため、ケーシングと前部カバー間のシールが確実となる。
【発明を実施するための最良の形態】
【００１３】
図１はパネル計器の組立状態を示す斜視図、図２は同パネル計器をパネルに嵌め付け固定した状態を示す断面図、図３はパネル計器の前面カバーを引出すとともに、シール部材も抜出した状態を示す一部拡大の斜視図である。
【００１４】
まず、本例のシール部材が用いられるパネル計器の構成例について、図１〜３を参照しながら説明する。各図において、パネル計器１は、前面開口した直方体状のケーシング２と、ケーシング２の前面開口に取付けられた前面カバー３を備え、ケーシング２の前面周縁に一体化されたフランジ２ａ及び前面カバー３の後部周縁を、制御盤などのパネル４に形成された矩形状開口部４ａにシール部材５を介して嵌め付け固定されている。
【００１５】
前面カバー３のほぼ中央部は開口され、この開口部３ａの背面には保護シートを介してＬＣＤなどの薄形表示部６が嵌め付け固定されている。また、前面カバー３における表示部６の下方には横長の凹部３ｂが形成されており、この凹部３ｂには、操作部を構成する横長長方形のスイッチボックス７が前面カバー３の下縁に形成された薄肉の樹脂ヒンジ７ａを介して前方に傾動可能に嵌め付けられている。
【００１６】
スイッチボックス７の前面には、図１に示すように、カーソルキー８、並びに各種操作キー９が配列され、さらにスイッチボックス６の上部中央には操作摘み１０が突設されている。スイッチボックス７は、図３に示すように、操作摘み１０を手前側に引くことにより、ヒンジ７ａを基点に下方に回動し、凹部３ｂを覗くことができる構成である。
【００１７】
前記凹部３ｂの内奥部には、図３に示すように、ケーシング２の前面内底部側に形成されたねじ孔（図略）に連通する左右一対の取付孔３ｃが開口され、この取付孔３ｃを通じて固定手段であるビスＢをねじ込むことによって前面カバー３をケーシング２の前面に強固に固定し、図３に図示するごとく、ビスＢを取外すことによって、前面カバー３をケーシングから引抜くことが可能となっている。
【００１８】
次に、本例のシール部材５について説明すると、シール部材５は、図３に示すように防水性に優れたゴム、合成樹脂材料から構成される矩形枠状の成形体であり、ケーシング２とパネル４との間に対する防水・防塵性確保と、前面カバー３とケーシング２との間に対する防水・防塵性とを共用するものである。
このシール部材５は、図２の円内に拡大して示すように、前記フランジ２ａに嵌合される第一凹部５ａ、第二凹部５ｂを有する断面形状であり、その後面をパネル４の開口部４ａの周縁に、前面をケーシング２の先端と前面カバー３の背面との間に狭着されてそれぞれの周縁をシール封止するものである。また、シール部材５に第二凹部５ｂが設けられているため、フランジ２ａにしっかりと固定されるとともに、前面カバー３の着脱時にシール部材５の捩れが生じにくくなっている。
【００１９】
但し、図２のシール部材５の介装状態では、各部が圧縮されることにより、元の形状が潰されており、介装前の形状は、図３の円内に拡大して示すように、シール部材５の後部にはその枠の全周に亘って半円弧状の突条５ｃが形成されているとともに、シール部材５の前面には枠の内側に向く突片５ｄがその枠の全周に亘って形成されている。
【００２０】
このような形状のシール部材５は、パネル計器１の取り付けの際にケーシング２と前面カバー３との間に介装されると、突条５ｃがパネル４の取付用開口部４ａの周縁に凹凸が生じていてもその形状に応じて弾性変形することにより密着性を確保してシール性を向上させ、また内向きの突片５ｄが図２の上部側に拡大して示すように、前面カバー３の上部後縁側の開口が大きく、この間に突片５ｄが内側に入り込むことにより、この部位における密着性とシール性を確保している。
これにより、ケーシング２とパネル４との間に対する防水・防塵性確保と、前面カバー３とケーシング２との間に対する防水・防塵性とを１つの部材で共用でき、且つシール部材５の取り付けに際し複雑な構造や煩雑な取り付け作業をする必要がない。
【図面の簡単な説明】
【００２１】
【図１】本発明に係るパネル計器の組立状態を示す斜視図である。
【図２】同パネル計器をパネルに取付けた状態を示す一部拡大部分を含む後部省略の断面図である。
【図３】同パネル計器の前面カバーを引出すとともに、シール部材も抜出した状態を示す一部拡大部分を含む斜視図である。
【符号の説明】
【００２２】
１  パネル計器
２  ケーシング
２ａ  フランジ
３  前面カバー
４  パネル
４ａ  取付用開口部
５  シール部材
５ａ  第一凹部
５ｂ  第二凹部
５ｃ  突条
５ｄ  突片  
６  表示部
７  スイッチボックス
８  カーソルキー
９  各種操作キー
１０  操作摘み
１１  フレキシブルフラットケーブル
１２  回路基板
【図１】
2009236217.tif 000003
【図２】
2009236217.tif 000004
【図３】
2009236217.tif 000005